(57)【特許請求の範囲】
【請求項１】
トラツク荷台の上端開口部の両側に沿つて前後に通して張り渡されたガイドワイヤと、前記荷台上に前後に通して張り渡された引綱と、前記荷台上を全面的に覆う形状を有し前記両側のガイドワイヤを各々が通される多数の環状片をほぼ等間隔に下面に取り付けられた幌布と、この幌布の下面に固定され両端部において前記両側のガイドワイヤを通されかつウインチ等の巻取手段によるけん引によつて前記幌布を一側に折りたたむべく前記引綱に固着されたスライドプレ−トとから構成されるトラツク荷台用幌掛け装置。
【請求項２】
前記引綱を、前記荷台の中央部に前後に通して張り渡すことを特徴とする請求項１記載のトラツク荷台用幌掛け装置。
【請求項３】
前記引綱を、前記荷台の両側に前後に通して張り渡すことを特徴とする請求項１記載のトラツク荷台用幌掛け装置。
【請求項４】
前記引綱をけん引すべき巻取手段を、荷台の前後端のいずれか一側に配設することを特徴とする請求項１ないし３のいずれかに記載のトラツク荷台用幌掛け装置。
【請求項５】
前記ガイドワイヤの一部に、これらガイドワイヤの張力調整用のタ−ンバツクルを設けてなる請求項１ないし４のいずれかに記載のトラツク荷台用幌掛け装置。
【請求項６】
前記荷台の前後いずれかの端部のこの荷台の上端開口部から外れた位置に折りたたみ時の幌布を格納するためのスペ−スを設けてなる請求項１記載のトラツク荷台用幌掛け装置。
【発明の詳細な説明】
【０００１】
【産業上の利用分野】
この発明は特に大型のトラツクの荷台への幌掛けを安全かつ容易に実施しうるようにした幌掛け装置に関する。
【０００２】
【従来の技術】
トラツクの積荷が、粉粒体などのばら荷の場合における積荷の荷台外への脱落阻止のためや、降雨時に積荷が濡れるのを防ぐため等に荷台上に幌を掛けることが行なわれている。
【０００３】
その場合、積荷が粉粒体などの場合には、作業者は荷台内へ入れないため、図８に示すように、荷台ａの横あおりｂの左右上部に歩み板ｃを設け、この歩み板ｃの上を作業者ｄが歩いて幌ｅを掛ける作業を行なつているが、特に大型トラツクの場合、歩み板ｃの地上高が高いため、高所作業となり安全確保上問題があつた。
【０００４】
また前記したような歩み板がない場合には、作業者は地上から幌掛け作業を行なわなければならず、多大の労力を要し、作業に時間がかかるという問題があつた。
【０００５】
【発明が解決しようとする課題】
上述したような従来の問題点に鑑み、幌掛け作業を安全かつ迅速に行なえるようにすることがこの発明に課せられた課題である。
【０００６】
【課題を解決するための手段】
ここにおいてこの発明は、トラツク荷台の上端開口部の両側に沿つて前後に通して張り渡されたガイドワイヤと、前記荷台の中央部又は両側に前後に通して張り渡された引綱と、前記荷台上を全面的に覆う形状を有し前記両側のガイドワイヤを各々が通される多数の環状片をほぼ等間隔に下面に取り付けられた幌布と、この幌布の下面に固定され両端部において前記両側のガイドワイヤを通されかつウインチ等の巻取手段によるけん引によつて前記幌布を一側に折りたたむべく前記引綱に固着されたスライドプレ−トとから構成されるトラツク荷台用幌掛け装置を提案し、かつその実施に当つて、前記引綱をけん引すべき巻取手段を、荷台の前後端のいずれか一側に配設し、又は前記ガイドワイヤの一部に、これらガイドワイヤの張力調整用のタ−ンバツクルを設け、更に折りたたみ時の幌布を格納すべきスペ−スを前記荷台の前後いずれかの端部に前記荷台の上端開口部から外れた位置に設けることを提案するものである。
【０００７】
【作用】
トラツク荷台の上端両側に前後に張り渡されたガイドワイヤに、幌布の下面に取り付けた多数の環状片を係合し、また前記両ガイドワイヤの中間で前後に通して配設された引綱に前後幌布の下面に装着したスライドプレ−トを固着し、前記引綱を引つ張ることで、このスライドプレ−トを荷台の前側又は後側へ移動させ、これによつて幌布を荷台の前方又は後方へ引き寄せて折りたたみ、また逆に荷台上に展開させる。
【０００８】
【実施例】
図１は、荷台１上で、この図に想像線で示す幌布２を、荷台１の前端側（左方）へ引き寄せるタイプとして示すものであつて、先ず荷台１の上端の両側に沿つて前後に通してガイドワイヤ３，３を張り渡すものとし、この場合、これらガイドワイヤ３，３の一部（図示の例では荷台１の前端側の端部）にタ−ンバツクル４，４を装着して、これらガイドワイヤ３，３の張り具合を調整できるようにする。
【０００９】
前記荷台１の中央部に前後に通して引綱５を張り渡し、この引綱５は、荷台１上の前後端に取り付けたロ−ラシ−ブ６，６を介して下方へ案内されそれぞれの端部を巻取手段としてのウインチ７，７に巻回される。
【００１０】
前記荷台１上を全面的に覆う形状の前記幌布２の下面には左右二列に多数の環状片８がほぼ等間隔に取り付けられており、これら環状片８の一箇を拡大して示す図２において、前記幌布２の下面に縫着した皮革製の取付片９には、支軸１０を介して前記環状片８が装着されており、この支軸１０の周に揺動可能な前記環状８の眼孔部１１内に前記ガイドワイヤ３を通すのである。すなわち、前記環状片８の左右方向の間隔は、前記ガイドワイヤ３，３の間隔とほぼ一致させるのである。
【００１１】
前記引綱５には、前記幌布２の下面に固定されたスライドプレ−ト１２を固着するものとし、その態様は図３に示すように、皮革製のバツクル体１３を前記幌布２の下面に縫着し、このバツクル体１３に前記スライドプレ−ト１２を固定しかつこのスライドプレ−ト１２の両端部下面に取り付けた眼孔片１４（図３にはその一方のみが示される）に前記ガイドワイヤ３，３を通すのである。
【００１２】
図１は前述したように幌布２を荷台１の前端側へ引き寄せるタイプとして示されているため、幌布２を荷台１上で展張した状態で前記スライドプレ−ト１２が荷台１の後端側に位置を占めているが、幌布２をこれとは反対に荷台１の後端側へ引き寄せるタイプとするためには、幌布２が展張された状態で荷台１の前端側に位置するように装着するものとする。
【００１３】
図１に示すタイプにおいて、幌布２が展張された状態を示すのが図４であつて、この場合は荷台１の後端側のウインチ７の巻回により、引綱５が引張られたことによつて、この図４に示したように幌布２が荷台１の上端開口部を全面的に覆う状態となる。
【００１４】
図４に示した状態から、幌布２を荷台１の前端側へ引き寄せて図５に示すように折りたたむためには、荷台１の前端側のウインチ７を巻回するのである。
【００１５】
上述の実施例では、荷台１の中央部に前後に通して引綱５を張り渡しているが、図６に示す実施例では荷台１の上端開口部の左右両側に引綱５，５を張り渡し、前記スライドプレ−ト１２の図に左側に一端を結着した側の引綱部分５Ａ，５Ａは、それぞれ荷台１の前端側でロ−ラシ−ブ６Ａを介して折りたたみ側のウインチ７Ａに巻き取り、前記スライドプレ−ト１２の図に右側に一端を結着した側の引綱部分５Ｂ，５Ｂは荷台１の後端側のロ−ラシ−ブ６Ｂで折り返して荷台１の前端側のロ−ラシ−ブ６Ｃを介して、前記ウインチ７Ａに並べて配設した展張用のウインチ７Ｂに巻き取られる。
【００１６】
このように構成することによつて、荷台１の上端開口部を全面的に開放して荷積み荷卸し作業に当つて引綱の存在が邪魔にならないようにすると共に、ウインチによる幌布２の展張及び折りたたみ操作を荷台１の一端側で実施することができるようになる。なお図では荷台１の前端側にウインチ７Ａ，７Ｂを配設した例を示したが、荷台１の後端側に配設することも自由であり、かつ又、引綱５を荷台１の中央部に通して張設した場合においても荷台１の一端側でウインチ操作が可能なような配索を行なうことも可能である。
【００１７】
図７は幌布２を折りたたんだ際に、折りたたんだ幌布２が荷積みや荷卸しの作業の邪魔にならないように、荷台１の前後のいずれかの端部（図では荷台の前端部）に前記荷台１の上端開口部から外れた位置に幌布２の格納用のスペ−ス１３を設けた例を示すものである。
【００１８】
以上のように、この発明の幌掛け装置によれば、作業者は荷台上に乗つて幌掛けをしたり、また比較的高い荷台に向かつて地上から幌布を抛り上げるといつた困難な作業を行なうことなく、引綱５を引張るという単純な作業で荷台上の幌布の展開及び引き寄せができるのである。
【００１９】
【発明の効果】
この発明は従来のような荷台上で幌掛け作業をするという危険な高所作業を廃し、又、地上から幌掛けをするという困難な作業を必要とせずに、極めて安全かつ迅速なトラツク荷台上の幌掛け作業を可能とするものである。
【図面の簡単な説明】
【図１】この発明の装置の一実施例の一部想像線で示す斜視図である。
【図２】この発明の装置の一部の拡大斜視図である。
【図３】この発明の装置の他の一部の拡大斜視図である。
【図４】荷台上で幌布を展開した状態の説明図である。
【図５】荷台上で幌布を片側へ引き寄せた状態の説明図である。
【図６】この発明の装置の他の実施例の斜視図である。
【図７】この発明の装置の一部の変型を示す断面図である。
【図８】従来例の説明図である。
【符号の説明】
１      荷台
２      幌布
３      ガイドワイヤ
５      引綱
７      ウインチ（巻取手段）
８      環状片
１２    スライドプレ−ト
【図１】
0003638038.tif 000002
【図２】
0003638038.tif 000003
【図３】
0003638038.tif 000004
【図４】
0003638038.tif 000005
【図５】
0003638038.tif 000006
【図６】
0003638038.tif 000007
【図７】
0003638038.tif 000008
【図８】
0003638038.tif 000009